(57)【要約】【課題】  最近では地球温暖化防止や冷房費節減等の要請から、ビルのベランダや屋上において、水の蒸発潜熱を利用することも考えられている。そこで、表面の水は迅速に浸透し、且つ安価で屋上に施工すれば冷房費の軽減等も可能な化粧パネルを提供する。【解決手段】  浅いプラスチック製容器の下層に保水部を設け、上方に樹脂モルタル層を有するものであって、保水部の上面の高さに排水孔を設けたもの、及び浅いプラスチック製容器の下層に保水材を充填し、上方に熱硬化性樹脂の樹脂モルタルを充填した後、加熱、圧縮し樹脂モルタルを硬化させる方法。【選択図】  図１
2005048466.tif 000002
【特許請求の範囲】
【請求項１】
浅いプラスチック製容器の下層に保水部を設け、上方に透水性の樹脂モルタル層を有するものであって、保水部の上面の高さに排水孔を設けたことを特徴とする化粧パネル。
【請求項２】
該保水部は、空である請求項１記載の化粧パネル。
【請求項３】
該保水部は、保水材が充填されているものである請求項１記載の化粧パネル。
【請求項４】
該保水材は、パーライトである請求項３記載の化粧パネル。
【請求項５】
該保水材は、竹チップである請求項３記載の化粧パネル。
【請求項６】
該保水材は、トルマリンである請求項３記載の化粧パネル。
【請求項７】
該プラスチック製容器の底部の一部を深くすることによって深層部を形成し、その深層部を保水部とする請求項１、２又は３記載の化粧パネル。
【請求項８】
浅いプラスチック製容器の下層に保水材を充填し、上方に熱硬化性樹脂の透水性樹脂モルタルを充填した後、加熱、圧縮し樹脂モルタルを硬化させることを特徴とする化粧パネルの製造方法。
【発明の詳細な説明】
【技術分野】
【０００１】
本発明は、化粧パネルに関するものである。
【背景技術】
【０００２】
ベランダや玄関回りのポーチ、その他歩道等は通常はコンクリートの打ちっぱなしか、砂利程度である。
特にベランダでは、コンクリートのままであり、雨水が表面に溜まることとなる。勿論、傾斜を設けて側溝に逃がすように設計されているが、わずかな傾斜であり雨が降れば表面に水が溜まることは避けられない。
【０００３】
このため、最近ではユニットと称する特許文献１のような簀子型の板に木やタイルを貼ったものが市販されている。これは、表面の水は木と木等の隙間から下に落ち、下は簀子型であり空間があるため十分透水量を持っている。よって、表面に水が溜まることはない。また、下に落下した水は、簀子の下の空間を自由に移動できるため、側溝に流れる。
【特許文献１】特開平７−０４２３４９
【０００４】
しかし、このタイプのものは高価である。
また、最近では地球温暖化防止や冷房費節減等の要請から水の蒸発潜熱を利用することも考えられている。しかし、上記の簀子タイプでは不可能である。
【発明の開示】
【発明が解決しようとする課題】
【０００５】
そこで、表面の水は迅速に浸透し、且つ安価で屋上に施工すれば冷房費の軽減等も可能な化粧パネルを提供する。
【課題を解決するための手段】
【０００６】
以上のような現状に鑑み、本発明者は鋭意研究の結果本発明化粧パネル及びその製造方法を完成したものであり、その特徴とするところは、化粧パネルにあっては、浅いプラスチック製容器の下層に保水部を設け、上方に透水性樹脂モルタル層を有するものであって、保水部の上面の高さに排水孔を設けた点にあり、製造方法にあっては、浅いプラスチック製容器の下層に保水材を充填し、上方に熱硬化性樹脂の透水性樹脂モルタルを充填した後、加熱、圧縮し樹脂モルタルを硬化させる点にある。
【０００７】
浅いプラスチック製容器とは、平面視の縦横の長さに対して厚み（深さ）が小さいという意味である。通常は、縦横が２０〜１００ｃｍ程度に対して、厚みが１〜１０ｃｍ程度である。
【０００８】
容器の形状は単純な箱型だけでなく、底面に凹凸を形成し、部分的に深い個所を設けたものでもよい。
材質（発泡体でもよい）は、どのようなものでもよいが耐候性のよいものが好ましい。安価なポリエチレン、ポリプロピレン、エポキシ系樹脂、ウレタン系樹脂等である。
【０００９】
保水部とは、水を保持できる部分である。要するにプラスチック製容器の下層部であり、その部分がそれ以外の部分と異なる（保水性の大きな）ものが充填されているということである。充填は、何も充填しない即ち空も含む。
上記した底面の凹凸の深い部分をこの保水部にしてもよい。また、底面がフラットな場合には、一定厚みを保水部とする。
【００１０】
この保水部には、保水材を充填するが、空でもよい。空の場合には、上部に樹脂モルタルを充填できないため、目の細かい網等の透水性のシート体を保水部の上部に固定する。
保水材は、基本的には吸放水できればどのようなものでもよい。例えば、多孔質（パーライト、ゼオライト、活性炭、軽石等）、粉体土壌関係（消石灰、珪藻土等）、有機物（オガクズ、竹チップ、炭等）、その他保水性骨材、貴陽石、トルマリン、セピオライト、ベントナイト、酸性白土、猫砂、ケナフ等である。
更に、芳香剤や除草剤、防カビ剤、抗菌剤、脱臭剤等を混合してもよい。
【００１１】
吸水性のポリマーを充填し、水の蒸発速度（放出速度）を押さえて長く効果を発揮するようにしてもよい。
【００１２】
保水部が空よりも、硬度のあるものを充填した方が強度的には優れたものとなる。
【００１３】
樹脂モルタルとは、樹脂と骨材の混合物である。
樹脂はどのようなものでもよいが、反応硬化性のものが好適である。常温硬化型でも熱硬化型でもよい。ウレタン系、エポキシ系が特に好適である。
【００１４】
骨材は樹脂モルタルの強度を高めるためと、透水性を確保するために混合される。骨材としては、通常の天然石、セラミック、ガラス、その他の無機骨材ばかりでなく、ゴムやプラスチック、木材チップ、クルミやもみがら等の有機物でもよい。
また、ゴムや石等の心材に接着剤で周囲に粉体を固着したものでもよい。
【００１５】
樹脂と骨材の混合割合は自由であり、透水性が確保でき、且つ使用できる強度があればよい。通常の石の骨材の場合、そのサイズは２〜１０ｍｍ程度であり、混合比率は、骨材／樹脂＝３／１〜９／１程度が好適である。
【００１６】
この骨材を１色にそろえることも、特定の３色にして自然石（御影石等）に似せることもできる。
更に、この骨材間隙に他の樹脂モルタルを充填してもよい。勿論、骨材の間隙に充填するものであるため、充填するモルタルの骨材は非常に細かいものとなる。例えば、０．１〜１．０ｍｍ程度の骨材である。
【００１７】
排水孔とは、プラスチック製容器に設けた貫通孔である。これは、保水部の容量以上の水をオーバーフローとして容器外に流し、側溝へ排除するものである。設ける部分は、プラスチック製容器の側面でも、底面の凹凸部の浅い部分でもよい。
これによって、表面に水が溢れることを防止する。
【００１８】
上記した化粧パネルは、まず樹脂モルタルを硬化させて板状にし、それをプラスチック製容器に嵌め込んで製造しても、容器の中で硬化させてもよい。
【００１９】
次に本発明の製造方法について説明する。
上記のように本発明化粧パネルは種々の方法で製造することができるが、なかでも好ましい方法が請求項５の方法である。
プラスチック製容器の下層に保水材を充填する。この下層は、凹凸を設けたその凹部だけでもよい。フラットな場合には、下層部である。その上から熱硬化性樹脂の樹脂モルタルを充填する。
次にこれを加圧、加熱し硬化させる。この方法によれば、容器に密着したものが簡単にできる。
【発明の効果】
【００２０】
本発明化粧パネル及び製造方法には、次のような大きな利点がある。
（１）  ベランダ等に使用した場合、雨水が表面に溜まることなく、直ちに浸透する。
（２）  下方に保水部があるため、雨が降らないときでもその蒸発潜熱により昇温を軽減する。
（３）  保水部に種々の効果を有するものを充填できるため、種々の利用法が考えられる。
【発明を実施するための最良の形態】
【００２１】
以下好適な実施例に基づいて本発明をより詳細に説明する。
【実施例１】
【００２２】
図１は、本発明化粧パネル１の１例を示す斜視図である。プラスチック製容器２と樹脂モルタル３が見えている。図２は、図１のプラスチック製容器を示す斜視図である。底部に６つの凹部４が設けられている。この例では、この凹部を保水部にしている。勿論、凹部の形状や数、大きさ等は自由である。
凹部４ではない底部に排水孔５が設けられている。ここに設けているため、保水部４をオーバーフローした水だけを排水する。
【００２３】
図３は、図１の断面図である。保水部（凹部４）には、パーライトが充填されている。その上部は樹脂モルタルが充填され硬化したものである。
【実施例２】
【００２４】
図４は、プラスチック製容器２の底部がフラットな例である。下方約半分程度に保水材４を充填し、その上に樹脂モルタル３を充填している。また、排水孔はプラスチック製容器の側壁に設けている。これも前記同様、保水部４をオーバーフローした水だけを排水できる。
【図面の簡単な説明】
【００２５】
【図１】本発明化粧パネルの１例を示す斜視図である。
【図２】図１のプラスチック製容器を示す斜視図である。
【図３】図１の断面図である。
【図４】本発明化粧パネルの他の例を示す断面図である。
【符号の説明】
【００２６】
１  本発明化粧パネル
２  プラスチック製容器
３  樹脂モルタル
４  凹部
５  排水孔
【図１】
2005048466.tif 000003
【図２】
2005048466.tif 000004
【図３】
2005048466.tif 000005
【図４】
2005048466.tif 000006